(57)【要約】【課題】天冠を一度押圧し、所定量の内容物を吐出した後は、天冠を押圧しても内容物が吐出せず、吐出を行うことができる復帰状態に戻す動作を行った後に、再び天冠を押圧することにより、所定量の内容物を吐出することができる定量供給装置を提供する。【解決手段】定量供給装置１は、軸筒本体２の後端部に設けられ、軸筒本体内の内容物を吐出する際に押圧操作される操作部３と、前記操作部が押圧されることにより、前記ピストン１０を軸筒本体の先端部側に移動させ、前記内容物を一定量吐出する吐出機構部９，１０と、前記操作部３の押圧動作を前記吐出機構部９，１０に伝達すると共に、前記吐出機構部が内容物を一定量吐出した後は、前記操作部３の押圧動作を前記吐出機構部９，１０に伝達しない押圧動作伝達部２ｂ，５，６，７と、を備えている。【選択図】図１
2016209441.tif 000002
【特許請求の範囲】
【請求項１】
軸筒本体内に内容物が収容され、前記軸筒本体内のピストンを軸筒本体の先端部方向に移動させることにより、前記内容物を一定量供給する定量供給装置であって、
前記軸筒本体の後端部に設けられ、軸筒本体内の内容物を吐出する際に押圧操作される操作部と、
前記操作部が押圧されることにより、前記ピストンを軸筒本体の先端部側に移動させ、前記内容物を一定量吐出する吐出機構部と、
前記操作部の押圧動作を前記吐出機構部に伝達すると共に、前記吐出機構部が内容物を一定量吐出した後は、前記操作部の押圧動作を前記吐出機構部に伝達しない押圧動作伝達部と、
を備えていることを特徴とする定量供給装置。
【請求項２】
前記操作部は、
前記軸筒本体の後端部に設けられた、軸筒本体の軸線と平行に移動する天冠を備え、
前記押圧動作伝達部は、
前記天冠に一端部が接すると共に、外周面にネジ部が形成されたネジ棒と、
前記ネジ棒のネジ部と螺合するネジ部を有し、前記ネジ棒に回転を付与する回転付与子と、
前記天冠に一端部が接し、他端部が前記回転付与子に接するスプリングと、
前記軸筒本体に形成された雌ネジ部と、を備え、
前記吐出機構部は、
前記ネジ棒と一体に回転し、ネジ棒に対し軸筒本体の軸線方向に移動可能な、外周面に前記軸筒本体の雌ネジ部と螺合するネジ部が形成されたピストン棒と、
前記ピストン棒に取り付けられたピストンと、を備え、
前記天冠が押圧され、前記ネジ棒が軸筒本体の先端部側に移動することにより、前記回転付与子によって前記ネジ棒及びピストン棒は回転しながら軸筒本体の先端部側に移動し、内容物を一定量吐出し、
かつ、前記内容物を一定量吐出した後、天冠の押圧動作を解除すると、前記天冠は前記スプリングによって初期状態に復帰すると共に、前記ネジ棒及びピストン棒は吐出動作終了後の状態が維持され、前記天冠とネジ棒の一端面が離れた位置に置かれ、天冠を押圧動作しても、前記ネジ棒は軸筒本体の先端部側に移動しないことを特徴とする請求項１記載の定量供給装置。
【請求項３】
更に、前記軸筒本体の先端部に取付けられ、前記内容物を吐出する吐出部を覆うキャップと、
前記吐出機構部が動作することによって前記軸筒本体の先端部から突出し、かつ前記軸筒本体の先端部に前記キャップを装着することによって軸筒本体内部に後退し、前記押圧動作伝達部を、前記操作部の押圧動作を前記吐出機構部に伝達する状態にするリセット部と、を備え、
前記リセット部が、押圧動作伝達部を前記操作部の押圧動作を前記吐出機構部に伝達する状態になす際、前記吐出機構部のピストンの位置が、内容物を一定量吐出した後の位置に維持されることを特徴とする請求項１記載の定量供給装置。
【請求項４】
前記操作部は、
前記軸筒本体の後端部に設けられた、軸筒本体の軸線と平行に移動する天冠を備え、
前記押圧動作伝達部は、
前記天冠に一端部が接すると共に、外周面にネジ部が形成されたネジ棒と、
前記ネジ棒のネジ部と螺合するネジ部を有し、前記ネジ棒に回転を付与する回転付与子と、
前記天冠に一端部が接し、他端部が前記回転付与子に接するスプリングと、
前記軸筒本体に形成された雌ネジ部と、を備え、
前記吐出機構部は、
前記ネジ棒と一体に回転し、ネジ棒に対し軸筒本体の軸線方向に移動可能な、外周面に前記雌ネジ部と螺合するネジ部が形成されたピストン棒と、
前記ピストン棒に取り付けられたピストンと、を備え、
前記リセット部は、
前記ネジ棒の先端部に取り付けられ、前記ネジ棒と共に軸筒本体の軸線方向に移動可能なリセットバーと、
前記リセットバーの先端部に設けられ、前記キャップが当接するリセットバー先端部と、
前記リセットバー先端部が進退する、軸筒本体部の先端部に設けられた進退口と、を備え、
前記軸筒本体の先端部に前記キャップを装着することにより、前記キャップが前記進退口から突出したリセットバー先端部に当接し、リセットバーを軸筒本体内部に後退させると共に、前記ネジ棒の一端部が前記天冠に接する位置まで戻され、前記天冠の押圧動作が前記ネジ棒に伝達する状態になすことを特徴とする請求項３記載の定量供給装置。
【請求項５】
更に、リード角が４５度以下に形成された、前記ネジ棒のネジ部と、
リード角が４５度以下に形成された、前記回転付与子のネジ部と、
前記軸筒本体の内周面に形成された、前記回転付与子の回転を規制する回転規制突起と、
前記回転規制突起に係止される、前記回転付与子の外周面に設けられた係止突起と、を備え、
前記天冠が押圧され、前記ネジ棒が軸筒本体の先端部側に移動する際、
前記回転付与子の係止突起が回転規制突起に係止されることにより、前記回転付与子が軸筒本体に対して回転規制され、前記回転付与子によって前記ネジ棒及びピストン棒は回転しながら軸筒本体の先端部側に移動し、
前記リセットバーを軸筒本体内部に後退させ、前記ネジ棒の一端部が前記天冠に接する位置まで戻される際、
前記回転付与子は前記スプリングの反発力に抗して軸筒本体後方に移動することで前記回転付与子の係止突起が回転規制突起の係止から解放され、前記解放により前記回転付与子がネジ棒に対して回転し、前記ネジ棒の一端部が前記天冠に接する位置まで戻されることを特徴とする請求項４記載の定量供給装置。
【発明の詳細な説明】
【技術分野】
【０００１】
本発明は定量供給装置に関し、特に、装置内に収容した内容物を所定量吐出した後は、吐出が制限される定量供給装置に関する。
【背景技術】
【０００２】
本出願人は、先に、容器内に収容された内容物を定量吐出するノック式繰出容器を提案している（特許文献１）。また同様に、高粘度の内容物を繰出す際に、ノック力の損失を防ぎつつ操作感を更に軽くしたノック式塗布具を提案している（特許文献２）。
これら特許文献１，２に示されたノック式繰出容器、ノック式塗布具は、本体の後端部に設けられた天冠あるいは繰出体（以下、天冠という）を押圧することにより、本体内部の塗布液収容部を押圧し、本体の先端部に穂首、塗布体に塗布液を供給するものである。
【０００３】
これら塗布具にあっては、前記したように、本体の後端部に設けられた天冠をノックする毎に、内容物を一定量繰出すことができる。
【先行技術文献】
【特許文献】
【０００４】
【特許文献１】特開２００９−２５４４１９公報
【特許文献２】特開２０１１−１９４８２０公報
【発明の概要】
【発明が解決しようとする課題】
【０００５】
前記したように、前記特許文献１，２に示されたノック式繰出容器、ノック式塗布具は、内容物を一定量繰出すことができるが、前記天冠を、繰り返し押圧することにより、所定量の内容物を何度も吐出することができる。
そのため、化粧品、薬剤のように、１回の塗布（吐出）量が規定されている内容物を供給する定量供給装置としては、使用者が何度も押圧し、所定量以上の内容物が塗布（吐出）される虞があり、あまり好ましいものではなかった。
【０００６】
本願発明者は、上記技術的課題を解決するために鋭意研究を重ねた。この課題を解決する手段として、天冠を一度押圧し、所定量の内容物を吐出した後は、天冠を押圧するこができないように、いわゆるロック手段を設けることが考えられる。
しかしながら、天冠を押圧することができないように、いわゆるロック手段を設けた場合には、使用者が繰り返し押圧した際、前記天冠を力任せに押圧し、ロック手段を破損させる虞がある。そのため、本願発明者は、天冠を一度押圧し、所定量の内容物を吐出した後は、天冠を押圧操作できるが、内容物が吐出しない機構を前提に研究し、本発明を完成するに至った。
【０００７】
本発明は、上記状況のもとに成されたなされたものであり、天冠を一度押圧し、所定量の内容物を吐出した後は、天冠を押圧しても内容物が吐出せず、吐出を行うことができる復帰状態に戻す動作を行った後に、再び天冠を押圧することにより、所定量の内容物を吐出することができる定量供給装置を提供することを目的とする。
【課題を解決するための手段】
【０００８】
本発明にかかる定量供給装は、軸筒本体内に内容物が収容され、前記軸筒本体内のピストンを軸筒本体の先端部方向に移動させることにより、前記内容物を一定量供給する定量供給装置であって、前記軸筒本体の後端部に設けられ、軸筒本体内の内容物を吐出する際に押圧操作される操作部と、前記操作部が押圧されることにより、前記ピストンを軸筒本体の先端部側に移動させ、前記内容物を一定量吐出する吐出機構部と、前記操作部の押圧動作を前記吐出機構部に伝達すると共に、前記吐出機構部が内容物を一定量吐出した後は、前記操作部の押圧動作を前記吐出機構部に伝達しない押圧動作伝達部と、を備えていることを特徴としている。
【０００９】
このように押圧動作伝達部を備え、この押圧動作伝達部によって、前記吐出機構部が液体を一定量吐出した後は、前記操作部の押圧動作を前記吐出機構部に伝達しないようになされるため、所定量の内容物を吐出した後は、前記操作部を押圧しても内容物を吐出することはなく、１回の塗布（吐出）量が規定されている内容物を、的確に供給することができる。
【００１０】
具体的には、前記操作部は、前記軸筒本体の後端部に設けられた、軸筒本体の軸線と平行に移動する天冠を備え、前記押圧動作伝達部は、前記天冠に一端部が接すると共に、外周面にネジ部が形成されたネジ棒と、前記ネジ棒のネジ部と螺合するネジ部を有し、前記ネジ棒に回転を付与する回転付与子と、前記天冠に一端部が接し、他端部が前記回転付与子に接するスプリングと、前記軸筒本体に形成された雌ネジ部と、を備え、前記吐出機構部は、前記ネジ棒と一体に回転し、ネジ棒に対し軸筒本体の軸線方向に移動可能な、外周面に前記軸筒本体の雌ネジ部と螺合するネジ部が形成されたピストン棒と、前記ピストン棒に取り付けられたピストンと、を備え、前記天冠が押圧され、前記ネジ棒が軸筒本体の先端部側に移動することにより、前記回転付与子によって前記ネジ棒及びピストン棒は回転しながら軸筒本体の先端部側に移動し、内容物を一定量吐出し、かつ、前記内容物を一定量吐出した後、天冠の押圧動作を解除すると、前記天冠は前記スプリングによって初期状態に復帰すると共に、前記ネジ棒及びピストン棒は吐出動作終了後の状態が維持され、前記天冠とネジ棒の一端面が離れた位置に置かれ、天冠を押圧動作しても、前記ネジ棒は軸筒本体の先端部側に移動しないことが望ましい。
【００１１】
また、更に、前記軸筒本体の先端部に取付けられ、前記内容物を吐出する吐出部を覆うキャップと、前記吐出機構部が動作することによって前記軸筒本体の先端部から突出し、かつ前記軸筒本体の先端部に前記キャップを装着することによって軸筒本体内部に後退し、前記押圧動作伝達部を、前記操作部の押圧動作を前記吐出機構部に伝達する状態にするリセット部と、を備え、前記リセット部が、押圧動作伝達部を前記操作部の押圧動作を前記吐出機構部に伝達する状態になす際、前記吐出機構部のピストンの位置が、内容物を一定量吐出した後の位置に維持されることが望ましい。
【００１２】
このように、前記リセット部の動作によって、前記押圧動作伝達部は前記操作部の押圧動作を前記吐出機構部に伝達する状態になされるため、再び天冠を押圧することにより、所定量の内容物を吐出することができる。また、軸筒本体内に複数回分の内容物を収容した場合には、複数回に分けて使用することができる。
【００１３】
具体的には、前記操作部は、前記軸筒本体の後端部に設けられた、軸筒本体の軸線と平行に移動する天冠を備え、前記押圧動作伝達部は、前記天冠に一端部が接すると共に、外周面にネジ部が形成されたネジ棒と、前記ネジ棒のネジ部と螺合するネジ部を有し、前記ネジ棒に回転を付与する回転付与子と、前記天冠に一端部が接し、他端部が前記回転付与子に接するスプリングと、前記軸筒本体に形成された雌ネジ部と、を備え、前記吐出機構部は、前記ネジ棒と一体に回転し、ネジ棒に対し軸筒本体の軸線方向に移動可能な、外周面に前記雌ネジ部と螺合するネジ部が形成されたピストン棒と、前記ピストン棒に取り付けられたピストンと、を備え、前記リセット部は、前記ネジ棒の先端部に取り付けられ、前記ネジ棒と共に軸筒本体の軸線方向に移動可能なリセットバーと、前記リセットバーの先端部に設けられ、前記キャップが当接するリセットバー先端部と、前記リセットバー先端部が進退する、軸筒本体部の先端部に設けられた進退口と、を備え、前記軸筒本体の先端部に前記キャップを装着することにより、前記キャップが前記進退口から突出したリセットバー先端部に当接し、リセットバーを軸筒本体内部に後退させると共に、前記ネジ棒の一端部が前記天冠に接する位置まで戻され、前記天冠の押圧動作が前記ネジ棒に伝達する状態になすことが望ましい。
【００１４】
更に、リード角が４５度以下に形成された、前記ネジ棒のネジ部と、リード角が４５度以下に形成された、前記回転付与子のネジ部と、前記軸筒本体の内周面に形成された、前記回転付与子の回転を規制する回転規制突起と、前記回転規制突起に係止される、前記回転付与子の外周面に設けられた係止突起と、を備え、前記天冠が押圧され、前記ネジ棒が軸筒本体の先端部側に移動する際、前記回転付与子の係止突起が回転規制突起に係止されることにより、前記回転付与子が軸筒本体に対して回転規制され、前記回転付与子によって前記ネジ棒及びピストン棒は回転しながら軸筒本体の先端部側に移動し、前記リセットバーを軸筒本体内部に後退させ、前記ネジ棒の一端部が前記天冠に接する位置まで戻される際、前記回転付与子は前記スプリングの反発力に抗して軸筒本体後方に移動することで前記回転付与子の係止突起が回転規制突起の係止から解放され、前記解放により前記回転付与子がネジ棒に対して回転し、前記ネジ棒の一端部が前記天冠に接する位置まで戻されることが望ましい。
【発明の効果】
【００１５】
本発明によれば、天冠を一度押圧し、所定量の内容物を吐出した後は、天冠を押圧しても内容物が吐出せず、吐出状態になす復帰状態になす動作を行った後に、再び天冠を押圧することにより、所定量の内容物を吐出することができる定量供給装置を得ることができる。
【図面の簡単な説明】
【００１６】
【図１】図１は、本発明にかかる定量供給装置の一実施形態を示す図であって、（ａ）は側面図、（ｂ）は断面図である。
【図２】図２は、図１に示す軸筒本体を示す図であって、（ａ）は側面図、（ｂ）は断面図である。
【図３】図３は、図１に示す軸筒本体を示す図であって、（ａ）は図２に示した軸筒本体と９０度異なる方向から見た側面図、（ｂ）は断面図である。
【図４】図４は、図１に示す軸筒本体を示す図であって、（ａ）は図３の左側面図、（ｂ）は図３の右側面図である。
【図５】図５は、図１に示す天冠を示す図であって、（ａ）は斜視図、（ｂ）は側面図、（ｃ）は断面図である。
【図６】図６は、図１に示すネジ棒を示す図であって、（ａ）は斜視図、（ｂ）は左側面図、（ｃ）は断面図である。
【図７】図７は、図１に示す回転付与子を示す図であって、（ａ）は斜視図、（ｂ）は側面図である。
【図８】図８は、図１に示すリセットバーを示す図であって、（ａ）は斜視図、（ｂ）は断面図である。
【図９】図９は、図１に示すピストン棒示す斜視図である。
【図１０】図１０は、本発明にかかる定量供給装置の吐出動作を説明するための概略図である。
【図１１】図１１は、本発明にかかる定量供給装置のリセット動作を説明するための概略図である。
【発明を実施するための形態】
【００１７】
以下、本発明にかかる定量供給装置の一実施形態について、図１乃至図９に基づいて説明する。
図１（ａ）に示すように、符号１は定量供給装置であって、内部に内容物を収容する軸筒本体２と、前記軸筒本体２の後端部に設けられ、軸筒本体２内の内容物を吐出（導出）する際に操作される操作部である天冠３と、軸筒本体２の先端部に取付けられ、内容物を吐出する吐出口を覆うキャップ４とを備えている。
このキャップ４は、天冠を一度押圧し、所定量の内容物を吐出した後に、キャップ４を軸筒本体２に装着することにより、再び内容物を吐出できる状態になすものである。
また、前記内容物は液体、半固体状物であれば良く、また、この定量供給装置の用途は、特に限定されるものではないが、例えば、化粧品塗布具、薬液塗布具、靴墨塗布具等として用いることができる。
【００１８】
前記定量供給装置１の軸筒本体２の内部には、図１（ｂ）に示すように、前記天冠３が押圧されることにより、回転しながら先端部側に移動するネジ棒５が設けられている。このネジ棒５は回転付与子６によって回転が付与され、回転しながら軸筒本体２の先端部側に移動するように構成されている。
尚、この実施形態の説明において、キャップ４が装着される側を軸筒本体２の先端部側（あるいは先端部）といい、また天冠３が装着される側を軸筒本体２の後端部側（あるいは後端部）という。
【００１９】
また、軸筒本体２の内部には、前記天冠３に一端部が接し、他端部が前記回転付与子６に接するスプリング７が設けられている。
更に、前記ネジ棒５の先端部に係止され、前記ネジ棒５の移動と共に移動するリセットバー８が設けられている。このリセットバー８の先端部は、天冠３を押圧することによって軸筒本体２の先端部から突出し、吐出後に、前記キャップ４を軸筒本体２の先端部に装着することにより、軸筒本体２内部に後退（後方へ移動）し、ネジ棒５を初期状態（復帰状態）に戻すものである。
【００２０】
また、前記ネジ棒５の内部には、進退可能に設けられたピストン棒９が設けられている。また、前記ピストン棒９の先端部には、ピストン１０が設けられている。また、前記軸筒本体２の先端部には、継手１１を介して、内容物を吐出する吐出口１２ａを有する塗布部１２が設けられている。
【００２１】
更に、前記定量供給装置１を構成する各部材について詳しく説明する。
まず、軸筒本体２について図２乃至図４に基づいて説明する。
この軸筒本体２には、内容物が収容される内容物収容部２ａと、前記内容物収容部２ａの後端部に設けられた、前記ピストン棒９の外周面に形成されたネジ部９ａと螺合する雌ネジ部２ｂと、前記雌ネジ部２ｂの後端側に延設され凹凸部２ｃが設けられている。
この凹凸部２ｃにおける凸部は、図４（ｂ）に示すように、斜面部２ｃ１と垂直面部２ｃ２とを備えている。前記凹凸部２ｃと、ネジ棒５の先端部に設けられた爪部５ｂ（図６参照）によって、いわゆるラチェット機構が形成される。その結果、前記ネジ棒５は軸筒本体２内で一方向のみ回転する。
【００２２】
更に、前記凹凸部２ｃの後方には、軸筒本体２に対する前記回転付与子６の回転を規制する回転規制突起２ｄが設けられている。この回転規制突起２は、軸筒本体２の内周面から内方に突出し、軸筒本体２の軸線と平行に延設けられている。
そのため、前記回転付与子６の係止突起６ｃ（図７参照）が、回転規制突起２ｄに係止されることにより、回転付与子６の回転は規制される。一方、前記回転付与子６が軸線と平行に後方に移動し、回転規制突起２との係合から解放させると、回転付与子６は、軸筒本体に対して、回転可能な状態となる。
【００２３】
また、前記回転規制突起２ｄの後方には、天冠３の被ガイド部３ｂ（図５参照）が移動可能に収容される溝部２ｅが形成されている。この溝部２ｅの後端部には係止部２ｅ１が設けられ、天冠３の被ガイド部３ｂが係止されることにより、天冠３の脱落が防止される。
また、前記内容物収容部２ａの外周部と、軸筒本体２の内周面の間には、リセットバー８の脚部８ｂ（図８参照）を移動可能に収納する空間２ｆが設けられている。尚、この空間２ｆの先端部には、リセットバーの脚部（先端部）が進退可能な進退口２ｆ１が設けられている。
【００２４】
次に、天冠３について図５に基づいて説明する。
天冠３は、前記軸筒本体２の後端部に移動可能に設けられ、前記天冠３を押圧することにより、前記ネジ棒５を軸筒本体２の前方に移動させ、内容物収容部２に収容されている内容物を所定量吐出させる操作部として機能する。
この天冠３は有底円筒状に形成された本体部３ａと、前記本体部３ａの開口端部に外周面から突出して形成された被ガイド部３ｂとを備えている。また、本体部３ａの内部には、ネジ棒５の後端面と当接し、ネジ棒５を押圧する押圧部３ｃが形成されている。
尚、被ガイド部３ｂは、溝部２ｅの係止部２ｅ１と係止されるように、いわゆる爪状に形成された爪状部３ｂ１を有している。
【００２５】
次に、ネジ棒５について図６に基づいて説明する。
ネジ棒５は円筒状に形成され、前方部の外周面には前記リセットバー８の係止部８ｃ（図８参照）が係止される段部５ａが形成されている。
また、この段部５ａの後側には、前記軸筒体２の凹凸部２ｃと係合し、いわゆるラチェット機構を構成する爪部５ｂが形成されている。この爪部５ｂは、軸筒体２の外周面から外方に延設された舌状部材５ｃの先端部に形成されている。
そのため、ネジ棒５が軸筒体２に対して一方向に回転する際には、前記爪部５ｂの斜面部５ｂ１と凹凸部２ｃの斜面部２ｃ１が接し、前記舌状部材５ｃが変形することで、ネジ棒５は回転が許容される。
一方、ネジ棒５が軸筒体２に対して他方向に回転する際には、前記爪部５ｂの垂直部５ｂ２と凹凸部２ｃの垂直部２ｃ２が接し、前記舌状部材５ｃが変形しないため、ネジ棒５は回転しない。
【００２６】
また、舌状部材５ｃの後側には、回転付与子６の雌螺子部６ｄ（図７参照）と螺合する雄ネジ部５ｄが設けられている。尚、雄ネジ部５ｄのリード角は４５度以上に形成されている。
【００２７】
また、ネジ棒５の先端部の内周面には、ピストン棒９とネジ棒５の相対的な回転を規制する回り止め部５ｅが形成されている。この回り止め部５ｅは、貫通穴５ｆ内に平面状部を突出して形成し、貫通穴５ｆに円弧状部５ｆ１と平面部５ｆ２と形成したものである。
この回り止め部５ｅによって、前記ピストン棒９はネジ棒５に対して回転することなく、軸線方向に移動可能に構成されている。
【００２８】
次に、回転付与子６について図７に基づいて説明する。
回転付与子６は円筒状に形成され円筒部６ａと前記円筒部６ａの後端部に外方に延設された鍔部６ｂが設けられている。
また、前記円筒部６ａの外周面であって、前記鍔部６ｂの先端側には、前記軸筒体２の回転規制突起２ｄに係止される係止突起６ｃが設けられている。この係止突起６ｃが回転規制突起２ｄに係止されることにより、回転付与子６は前記軸筒体２に対して、回転が規制させるように取り付けられる。
【００２９】
また、前記回転付与子６の円筒部６ａの内周面には、雌螺子部６ｄが形成されている。この雌螺子部６ｄは、ネジ棒５に形成された雄ネジ５ｄと螺合することによって、軸筒体２の先端側に移動するネジ棒５に回転を付与する。
尚、雌螺子部６ｄは、雄ネジ５ｄと同一のリード角で形成されている。即ち、雌螺子部６ｄのリード角は４５度以上に形成されている。
【００３０】
次に、リセットバー８について図８に基づいて説明する。
リセットバー８は、リング状部８ａと、前記リング状部８ａの外周面から軸筒本体２の先端側に延設された一対の脚部８ｂとを備えている。
前記リング状部８ａはネジ棒５が収容する内径を有し、前記リング状部８ａの後端部には、ネジ棒５の段部５ａに係止する爪状の係止部８ｃが形成されている。
また、前記脚部８ｂの先端側は、前記軸筒本体２の進退口２ｆ１から外部に突出するリセット先端部８ｂ１が形成されている。このリセット先端部８ｂ１と脚部８ｂの間には、段部８ｂ２が形成され、リセット先端部８ｂ１が最前端まで突出した際、軸筒本体２内部の段部に係止され、リセット先端部８ｂ１が前進することができないように構成されている。
【００３１】
次に、ピストン棒９について図９に基づいて説明する。
ピストン棒９が、円柱状のネジ部９ａと、ネジ部９ａの先端に形成された円柱状のピストン取付け部９ｂとを備えている。
また、このピストン棒９のネジ部９ａは、相対向する平面部９ａ１と、前記平面部９ａ１間に形成されたネジ形成部９ａ２と、を備えている。
【００３２】
一方、ピストン棒９が挿入されるネジ棒５の先端部内周面には、前記したように、回り止め部５ｅが形成され、この回り止め部５ｅは円弧状部５ｆ１と平面部５ｆ２とを有している。そのため、ネジ棒５とピストン棒９は一体に回転するが、前記ピストン棒９はネジ棒５に対して前後方向に移動することができる。
また、前記ネジ部９ａは、前記軸筒本体２の雌ネジ部２ｂと螺合する。したがって、前記ネジ部９ａが回転することにより、前記軸筒本体２の雌ネジ部２ｂによって前進し、ピストン１０を前進させ、内容物を吐出する。
【００３３】
次に、前記定量供給装置１の動作作用について、図１０乃至図１１に基づいて説明する。
まず、定量供給装置１からキャップ４を取り外し、内容物を吐出できる状態にする。その後、図１０（ａ）の矢印で示すように、天冠３をスプリング７の反発力に抗しながら押圧し、天冠３を軸筒本体２の先端部方向に移動させる。
この天冠３の移動によって、天冠３の押圧部３ｃと一端部が接しているネジ棒５も、軸筒本体２の先端部方向（矢印）に移動する。
【００３４】
このとき、スプリング７力によって、前記回転付与子６は軸筒本体２の先端部方向に力を受け、前記回転付与子６の係止突起６ｃが、軸筒本体２の回転規制突起２ｄに係止された状態にある。したがって、前記回転付与子６は回転することなく、軸筒本体２に固定されている。
その結果、軸筒本体２の先端部方向に移動するネジ棒５は、図１０（ｂ）の矢印で示すように、ネジ棒５の雄ネジ５ｄと回転付与子６の雌螺子部６ｄが螺合しているために、前記ネジ棒５は回転しながら、軸筒本体２の先端部方向に移動する。
尚、舌状部材５ｃの先端に形成された爪部５ｂが、軸筒本体２の凹凸部２ｃと係合しているため、前記ネジ棒５は、いわゆるクリック音を出しながら軸筒本体２の先端部方向に移動する。
【００３５】
また、前記ネジ棒５の貫通穴５ｆには、ピストン棒９が一体的に回転するように取り付けられ、またピストン棒９のネジ部２ａは、軸筒本体２の雌ネジ部２ｂと螺合している。
そのため、図１０（ｃ）の矢印で示すように、前記ネジ棒５の回転移動の動作に伴って、ピストン棒９も回転しながら、軸筒本体２の先端部方向に移動する。
このピストン棒９が軸筒本体２の先端部方向に移動することによって、ピストン１０も内容物収容部２ａ内を移動し、前記内容物収容部２ａから継手１１、塗布部１２を介して、吐出口１２ａから内容物が吐出される。
【００３６】
また、前記ネジ棒５には、リセットバー８が係止されているので、前記ネジ棒５が軸筒本体２の先端部方向に移動することによって、リセットバー８も軸筒本体２の先端部方向に移動し、前記リセットバー８の進退口２ｆ１からリセット先端部８ｂ１が突出する。
【００３７】
そして、天冠３の押圧力を解除すると、スプリング７の反発力によって天冠３は元の状態に復帰する。しかしながら、ネジ棒５は回転付与子６と螺合しているため、前進した状態が維持される。同様に、ピストン棒９（ピストン１０）、リセットバー８も前進した状態が維持される。
このように、天冠３は元の状態に復帰し、ネジ棒５、ピストン棒９（ピストン１０）、リセットバー８も前進した状態にある場合に、再び、前記天冠３を押圧し、天冠３を先端部方向に移動させても、ネジ棒５の一端部に天冠３の押圧部が接しないため、単にスプリング７を圧縮するのみで内容物が吐出されることはない。
その結果、使用者が、天冠を一度押圧し所定量の内容物を吐出した後、繰り返し天冠を押圧しても、内容物を吐出することがなく、所定量以上（天冠３を１回押圧して吐出する量以上）の内容物の吐出を防止できる。
【００３８】
前記した所定量の内容物の吐出終了後、使用者は、キャップ４を軸筒本体２に装着する。このとき、図１１に示すように、前記キャップ４の開放端面４ａがリセットバー８のリセット先端部８ｂ１に当接し、リセットバー８を軸筒本体２の後方へ移動させる。このリセットバー８の後方へ移動によって、ネジ棒５も後方へ移動する。
【００３９】
また、ネジ棒５と回転付与子５は螺合しているが、リード角が４５度以下に形成されているため、ネジ棒５の移動によりスプリング７を圧縮しながら、回転付与子６も後方に移動する。そして、前記回転付与子６の係止突起６ｃと軸筒本体２の回転規制突起２ｄとの係合が解除されると、前記回転付与子６は回転し、ネジ棒５と回転付与子６は初期状態に復帰する。即ち、ネジ棒５の一端面が、天冠３の押圧部３ｃと接した状態に戻される。
【００４０】
一方、ピストン棒９は、軸筒本体２の雌ネジ部２ｂと螺合し、またネジ棒５の軸筒本体２の軸線方向の移動に拘束されないため、ネジ棒５、回転付与子６が初期状態に復帰した後も、前記前進した状態が維持される。
【００４１】
そして、再び、使用する場合には、前記した動作を繰り返す。即ち、キャップ４を取り外し、天冠３を押圧することにより、内容物が終了するまで、所定量の内容物を供給することができる。
【符号の説明】
【００４２】
１        定量供給装置
２        軸筒本体
２ａ      内容物収容部
２ｂ      雌ネジ部（押圧動作伝達部）
２ｃ      凹凸部
２ｄ      回転規制突起
２ｅ      溝部
２ｅ１    係止部
２ｆ      空間
２ｆ１    進退口（リセット部）
３        天冠（操作部）
３ａ      本体部
３ｂ      被ガイド部
３ｃ      押圧部
４        キャップ
４ａ      開放端面４ａ
５        ネジ棒（押圧動作伝達部）
５ａ      段部
５ｂ      爪部
５ｃ      舌状部材
５ｄ      雄ネジ部（ネジ部）
５ｅ      回り止め部
５ｆ      貫通穴
６        回転付与子（押圧動作伝達部）
６ａ      円筒部
６ｂ      鍔部
６ｃ      係止突起
６ｄ      雌螺子部（ネジ部）
７        スプリング（押圧動作伝達部）
８        リセットバー（リセット部）
８ａ      リング状部
８ｂ      脚部
８ｂ１    リセット先端部（リセット部）
８ｃ      係止部
９        ピストン棒（吐出機構部）
９ａ      ネジ部
９ａ１    平面部
９ａ２    ネジ形成部
９ｂ      ピストン取付け部
１０      ピストン（吐出機構部）
１１      継手
１２      塗布部
１２ａ    吐出口
【図１】
2016209441.tif 000003
【図２】
2016209441.tif 000004
【図３】
2016209441.tif 000005
【図４】
2016209441.tif 000006
【図５】
2016209441.tif 000007
【図６】
2016209441.tif 000008
【図７】
2016209441.tif 000009
【図８】
2016209441.tif 000010
【図９】
2016209441.tif 000011
【図１０】
2016209441.tif 000012
【図１１】
2016209441.tif 000013
【手続補正書】
【提出日】平成27年7月17日(2015.7.17)
【手続補正１】
【補正対象書類名】明細書
【補正対象項目名】００１４
【補正方法】変更
【補正の内容】
【００１４】
更に、リード角が４５度以上に形成された、前記ネジ棒のネジ部と、リード角が４５度以上に形成された、前記回転付与子のネジ部と、前記軸筒本体の内周面に形成された、前記回転付与子の回転を規制する回転規制突起と、前記回転規制突起に係止される、前記回転付与子の外周面に設けられた係止突起と、を備え、前記天冠が押圧され、前記ネジ棒が軸筒本体の先端部側に移動する際、前記回転付与子の係止突起が回転規制突起に係止されることにより、前記回転付与子が軸筒本体に対して回転規制され、前記回転付与子によって前記ネジ棒及びピストン棒は回転しながら軸筒本体の先端部側に移動し、前記リセットバーを軸筒本体内部に後退させ、前記ネジ棒の一端部が前記天冠に接する位置まで戻される際、前記回転付与子は前記スプリングの反発力に抗して軸筒本体後方に移動することで前記回転付与子の係止突起が回転規制突起の係止から解放され、前記解放により前記回転付与子がネジ棒に対して回転し、前記ネジ棒の一端部が前記天冠に接する位置まで戻されることが望ましい。
【手続補正２】
【補正対象書類名】明細書
【補正対象項目名】００２６
【補正方法】変更
【補正の内容】
【００２６】
また、舌状部材５ｃの後側には、回転付与子６の雌螺子部６ｄ（図７参照）と螺合する雄ネジ部５ｄが設けられている。尚、雄ネジ部５ｄのリード角θ（図６参照）は４５度以上に形成されている。
【手続補正３】
【補正対象書類名】明細書
【補正対象項目名】００３９
【補正方法】変更
【補正の内容】
【００３９】
また、ネジ棒５と回転付与子６は螺合しているが、リード角θが４５度以上に形成されているため、ネジ棒５の移動によりスプリング７を圧縮しながら、回転付与子６も後方に移動する。そして、前記回転付与子６の係止突起６ｃと軸筒本体２の回転規制突起２ｄとの係合が解除されると、前記回転付与子６は回転し、ネジ棒５と回転付与子６は初期状態に復帰する。即ち、ネジ棒５の一端面が、天冠３の押圧部３ｃと接した状態に戻される。
【手続補正４】
【補正対象書類名】特許請求の範囲
【補正対象項目名】全文
【補正方法】変更
【補正の内容】
【特許請求の範囲】
【請求項１】
軸筒本体内に内容物が収容され、前記軸筒本体内のピストンを軸筒本体の先端部方向に移動させることにより、前記内容物を一定量供給する定量供給装置であって、
前記軸筒本体の後端部に設けられ、軸筒本体内の内容物を吐出する際に押圧操作される操作部と、
前記操作部が押圧されることにより、前記ピストンを軸筒本体の先端部側に移動させ、前記内容物を一定量吐出する吐出機構部と、
前記操作部の押圧動作を前記吐出機構部に伝達すると共に、前記吐出機構部が内容物を一定量吐出した後は、前記操作部の押圧動作を前記吐出機構部に伝達しない押圧動作伝達部と、
を備えていることを特徴とする定量供給装置。
【請求項２】
前記操作部は、
前記軸筒本体の後端部に設けられた、軸筒本体の軸線と平行に移動する天冠を備え、
前記押圧動作伝達部は、
前記天冠に一端部が接すると共に、外周面にネジ部が形成されたネジ棒と、
前記ネジ棒のネジ部と螺合するネジ部を有し、前記ネジ棒に回転を付与する回転付与子と、
前記天冠に一端部が接し、他端部が前記回転付与子に接するスプリングと、
前記軸筒本体に形成された雌ネジ部と、を備え、
前記吐出機構部は、
前記ネジ棒と一体に回転し、ネジ棒に対し軸筒本体の軸線方向に移動可能な、外周面に前記軸筒本体の雌ネジ部と螺合するネジ部が形成されたピストン棒と、
前記ピストン棒に取り付けられたピストンと、を備え、
前記天冠が押圧され、前記ネジ棒が軸筒本体の先端部側に移動することにより、前記回転付与子によって前記ネジ棒及びピストン棒は回転しながら軸筒本体の先端部側に移動し、内容物を一定量吐出し、
かつ、前記内容物を一定量吐出した後、天冠の押圧動作を解除すると、前記天冠は前記スプリングによって初期状態に復帰すると共に、前記ネジ棒及びピストン棒は吐出動作終了後の状態が維持され、前記天冠とネジ棒の一端面が離れた位置に置かれ、天冠を押圧動作しても、前記ネジ棒は軸筒本体の先端部側に移動しないことを特徴とする請求項１記載の定量供給装置。
【請求項３】
更に、前記軸筒本体の先端部に取付けられ、前記内容物を吐出する吐出部を覆うキャップと、
前記吐出機構部が動作することによって前記軸筒本体の先端部から突出し、かつ前記軸筒本体の先端部に前記キャップを装着することによって軸筒本体内部に後退し、前記押圧動作伝達部を、前記操作部の押圧動作を前記吐出機構部に伝達する状態にするリセット部と、を備え、
前記リセット部が、押圧動作伝達部を前記操作部の押圧動作を前記吐出機構部に伝達する状態になす際、前記吐出機構部のピストンの位置が、内容物を一定量吐出した後の位置に維持されることを特徴とする請求項１記載の定量供給装置。
【請求項４】
前記操作部は、
前記軸筒本体の後端部に設けられた、軸筒本体の軸線と平行に移動する天冠を備え、
前記押圧動作伝達部は、
前記天冠に一端部が接すると共に、外周面にネジ部が形成されたネジ棒と、
前記ネジ棒のネジ部と螺合するネジ部を有し、前記ネジ棒に回転を付与する回転付与子と、
前記天冠に一端部が接し、他端部が前記回転付与子に接するスプリングと、
前記軸筒本体に形成された雌ネジ部と、を備え、
前記吐出機構部は、
前記ネジ棒と一体に回転し、ネジ棒に対し軸筒本体の軸線方向に移動可能な、外周面に前記雌ネジ部と螺合するネジ部が形成されたピストン棒と、
前記ピストン棒に取り付けられたピストンと、を備え、
前記リセット部は、
前記ネジ棒の先端部に取り付けられ、前記ネジ棒と共に軸筒本体の軸線方向に移動可能なリセットバーと、
前記リセットバーの先端部に設けられ、前記キャップが当接するリセットバー先端部と、
前記リセットバー先端部が進退する、軸筒本体部の先端部に設けられた進退口と、を備え、
前記軸筒本体の先端部に前記キャップを装着することにより、前記キャップが前記進退口から突出したリセットバー先端部に当接し、リセットバーを軸筒本体内部に後退させると共に、前記ネジ棒の一端部が前記天冠に接する位置まで戻され、前記天冠の押圧動作が前記ネジ棒に伝達する状態になすことを特徴とする請求項３記載の定量供給装置。
【請求項５】
更に、リード角が４５度以上に形成された、前記ネジ棒のネジ部と、
リード角が４５度以上に形成された、前記回転付与子のネジ部と、
前記軸筒本体の内周面に形成された、前記回転付与子の回転を規制する回転規制突起と、
前記回転規制突起に係止される、前記回転付与子の外周面に設けられた係止突起と、を備え、
前記天冠が押圧され、前記ネジ棒が軸筒本体の先端部側に移動する際、
前記回転付与子の係止突起が回転規制突起に係止されることにより、前記回転付与子が軸筒本体に対して回転規制され、前記回転付与子によって前記ネジ棒及びピストン棒は回転しながら軸筒本体の先端部側に移動し、
前記リセットバーを軸筒本体内部に後退させ、前記ネジ棒の一端部が前記天冠に接する位置まで戻される際、
前記回転付与子は前記スプリングの反発力に抗して軸筒本体後方に移動することで前記回転付与子の係止突起が回転規制突起の係止から解放され、前記解放により前記回転付与子がネジ棒に対して回転し、前記ネジ棒の一端部が前記天冠に接する位置まで戻されることを特徴とする請求項４記載の定量供給装置。
【手続補正５】
【補正対象書類名】図面
【補正対象項目名】図６
【補正方法】変更
【補正の内容】
【図６】
2016209441.tif 000014